(57)【要約】【課題】送信信号の分離演算を簡略して高速な分離演算を可能とするとともに、逆行列演算ができない場合であっても送信信号の分離演算を可能とすること。【解決手段】複数の送信信号を受信する複数のＡｎｔＩｎ１、ＡｎｔＩｎ２のうちの１つのＡｎｔＩｎ１が受信した受信信号Ｉｎ１及び既知の基準信号Ｏｕｔ１を取得する無線データ取得部１３と、取得された受信信号Ｉｎ１から伝播路推定値を推定し、当該伝播路推定値、受信信号Ｉｎ１及び基準信号Ｏｕｔ１を用いて、送信信号の信号分離演算を行う演算解析部１４と、を備える。【選択図】図１
2009094951.tif 000002
【特許請求の範囲】
【請求項１】
複数の送信信号を受信する複数の受信手段のうちの１つの受信手段が受信した受信信号及び既知の基準信号を取得する取得手段と、
前記取得手段により取得された受信信号から伝播路推定値を推定し、当該伝播路推定値、前記受信信号及び前記基準信号を用いて、前記送信信号の信号分離演算を行う制御手段と、
を備える信号分離装置。
【請求項２】
複数の送信信号を受信する複数の受信手段のうちの１つの受信手段が受信した受信信号と既知の基準信号とを加算した加算信号を取得する加算信号取得手段と、
前記加算信号取得手段により取得された加算信号から前記基準信号を除去して前記受信信号を得る第１のフィルタ手段と、
前記加算信号取得手段により取得された加算信号に含まれる基準信号を周波数シフトする周波数シフト手段と、
前記加算信号から前記受信信号を除去して前記周波数シフト手段により周波数シフトされた前記基準信号を得る第２のフィルタ手段と、
前記第１のフィルタ手段により得られた前記受信信号から伝播路推知値を推定し、当該伝播路推定値、前記第１のフィルタ手段により得られた前記受信信号及び前記第２のフィルタ手段により得られた前記基準信号を用いて、前記送信信号の信号分離演算を行う制御手段と、
を備える信号分離装置。
【請求項３】
前記制御手段は、
前記伝播路推定値と前記基準信号とを積算して第１の積算値を演算する第１の積算手段と、
前記受信信号から前記第１の積算値を減算した第１の信号を演算する第１の演算手段と、
前記第１の演算手段により演算された第１の信号を前記伝播路推定値で補正した第２の信号を演算する第１の補正手段と、
前記第１の補正手段により演算された第２の信号と前記伝播路推定値とを積算して第２の積算値を演算し、前記受信信号から当該第２の積算値を減算した第３の信号を演算する第２の演算手段と、
前記第２の演算手段により演算された第３の信号を前記伝播路推定値で補正した第４の信号を演算する第２の補正手段と、
を備える請求項１又は２に記載の信号分離装置。
【請求項４】
前記制御手段は、
前記伝播路推定値と前記基準信号とを積算して第３の積算値を演算する第２の積算手段と、
前記受信信号から前記第３の積算値を減算した第５の信号を演算する第３の演算手段と、
前記受信信号から前記第３の積算値及び前記５の信号を減算した第６の信号を演算する第４の演算手段と、
前記受信信号から前記第６の信号、前記第３の積算値及び前記第５の信号を減算した第７の信号を演算する第５の演算手段と、
前記受信信号から前記７の信号、前記第６の信号及び前記第５の信号を減算した第８の信号を演算する第６の演算手段と、
前記第７の信号から前記第８の信号を減算し、当該減算した値に前記第３の積算値を加算した第９の信号を演算する第７の演算手段と、
前記第６の信号から前記第８の信号及び前記第９の信号を減算し、当該減算した値に前記第３の積算値を加算した第１０の信号を演算する第８の演算手段と、
前記第３の演算手段により演算された第５の信号を前記伝播路推定値で補正した第１１の信号を演算する第３の補正手段と、
前記第６の演算手段により演算された第８の信号を前記伝播路推定値で補正した第１２の信号を演算する第４の補正手段と、
前記第７の演算手段により演算された第９の信号を前記伝播路推定値で補正した第１３の信号を演算する第５の補正手段と、
前記第８の演算手段により演算された第１０の信号を前記伝播路推定値で補正した第１４の信号を演算する第６の補正手段と、
を備える請求項１又は２に記載の信号分離装置。
【発明の詳細な説明】
【技術分野】
【０００１】
本発明は、信号分離装置に関する。
【背景技術】
【０００２】
従来から、マルチアンテナ信号伝送法（ＭＩＭＯ：Ｍｕｌｔｉｐｌｅ  Ｉｎｐｕｔ  Ｍｕｌｔｉｐｌｅ  Ｏｕｔｐｕｔ）を用いたマルチアンテナ無線伝送技術が知られている。マルチアンテナ無線伝送技術の一例としては、ＭＩＭＯ多重法が知られている（例えば、非特許文献１〜３参照）。ＭＩＭＯ多重法は、無線伝播路の違いを利用して、送信信号を分離して検出する方法である。
【０００３】
図１１及び図１２を参照して、ＭＩＭＯ多重法を用いて送信信号を分離する従来の方法について説明する。図１１に送信信号を分離解析する従来の測定システム１００の構成を示す。測定システム１００は、ＤＵＴ（Device Under Test）１０１と、Ｆａｄｉｎｇ部１０２と、無線データ取得部１０３、１０４と、演算解析部１０５と、を備えて構成される。無線データ取得部１０３、１０４及び演算解析部１０５は、測定器１０６に該当する。測定システム１００は、測定環境で実現されるものである。このため、本来は送信アンテナ、受信アンテナを備えない構成である。しかし、測定システム１００では、送信アンテナ及び受信アンテナを模擬的に備える場合についても説明する。この場合、送信アンテナ２個（ＡｎｔＯｕｔ１、ＡｎｔＯｕｔ２）、受信アンテナ２個（ＡｎｔＩｎ１、ＡｎｔＩｎ２）が構成されているものとする。
【０００４】
ＤＵＴ１０１は、ＲＦ信号（送信信号Ｏｕｔ１、Ｏｕｔ２）を出力する。送信信号Ｏｕｔ１、Ｏｕｔ２は、送信アンテナＡｎｔＯｕｔ１、ＡｎｔＯｕｔ２から送信された信号に該当する。Ｆａｄｉｎｇ部１０２は、フェージングシュミレータにより構成され、送信信号Ｏｕｔ１、Ｏｕｔ２が入力されると、受信信号Ｉｎ１、Ｉｎ２を出力する。
【０００５】
無線データ取得部１０３、１０４は、受信信号Ｉｎ１、Ｉｎ２をそれぞれ取得する。具体的には、無線データ取得部１０３、１０４は、受信信号Ｉｎ１、Ｉｎ２にダウンコンバート、フィルタリング、Ａ／Ｄ変換等を行い、それぞれのベースバンド信号を取得する。
【０００６】
演算解析部１０４は、受信信号Ｉｎ１、Ｉｎ２に含まれる基準パイロット信号から伝播路推定値の計算を行う。そして、逆行列計算にて送信信号Ｏｕｔ１、Ｏｕｔ２の信号分離を行い、ＥＶＭ（Error Vector Magnitude）などの解析を行う。
【０００７】
次に、図１２を参照して、測定器１０６の動作を説明する。図１２に従来の測定器処理の流れを示す。
【０００８】
例えば、従来の測定器処理の実行指示が入力部（図示省略）を介して入力されたこと等をトリガとして、記憶部（図示省略）から読み出されて適宜ＲＡＭ（Random  Access  Memory）（図示省略）に展開された従来の測定器プログラムと、ＣＰＵ（Central  Processing  Unit）（図示省略）との協働により従来の測定器処理が実行される。
【０００９】
先ず、無線データ取得部１０３に受信信号Ｉｎ１、無線データ取得部１０４に受信信号Ｉｎ２が入力される。そして、無線データ取得部１０３、１０４により受信信号Ｉｎ１、Ｉｎ２のそれぞれにダウンコンバート、フィルタリング、Ａ／Ｄ変換等が行われ受信信号Ｉｎ１、Ｉｎ２それぞれのベースバンド信号が取得される。そして、無線データ取得部１０３、１０４で取得された信号（ベースバンド信号）の同期が行われる（ステップＳ１０１）。
【００１０】
ステップＳ１０１の実行後、演算解析部１０４により送信アンテナＡｎｔＯｕｔ１、ＡｎｔＯｕｔ２（送信側各アンテナ）に挿入された基準パイロット信号から各経路の伝播路値が推定される（ステップＳ１０２）。そして、伝播路推定値を使用して、逆行列演算を行い信号分離が行われる（ステップＳ１０３）。具体的には、数式（１）、（２）を用いて逆行列演算が行われる。
【００１１】
【数１】
2009094951.tif 000003
【数２】
2009094951.tif 000004
【００１２】
式（１）の左辺は、受信信号Ｉｎ１、Ｉｎ２を示している。式（１）の右辺第１項は、伝播路推定値を示している。式（１）の右辺第２項は、送信信号Ｏｕｔ１、Ｏｕｔ２を示している。式（２）は、式（１）の右辺第２項を求めるための逆行列演算式を示している。式（２）の逆行列演算を行うことにより送信信号Ｏｕｔ１、Ｏｕｔ２の分離演算が行われる。ステップＳ１０３の実行後、従来の測定器処理は終了される。
【非特許文献１】佐和橋  衛  外３名“マルチアンテナ無線伝送技術／その１  マルチアンテナ無線伝送技術の概要”、ＮＴＴドコモテクニカルジャーナルＶｏｌ．１３  Ｎｏ．３、［ｏｎｌｉｎｅ］、［平成１９年８月２８日検索］、インターネット＜ＵＲＬ：http://www.nttdocomo.co.jp/binary/pdf/corporate/technology/rd/technical_journal/bn/vol13_3/vol13_3_68jp.pdf＞
【非特許文献２】樋口  健一  外２名“マルチアンテナ無線伝送技術／その２  ＭＩＭＯチャネルを用いる無線信号伝送技術”、ＮＴＴドコモテクニカルジャーナルＶｏｌ．１３  Ｎｏ．４、［ｏｎｌｉｎｅ］、［平成１９年８月２８日検索］、インターネット＜ＵＲＬ：http://www.nttdocomo.co.jp/binary/pdf/corporate/technology/rd/technical_journal/bn/vol13_4/vol13_4_66jp.pdf＞
【非特許文献３】樋口  健一  外１名“マルチアンテナ無線伝送技術／その３  ＭＩＭＯ多重法における信号分離技術”、ＮＴＴドコモテクニカルジャーナルＶｏｌ．１４  Ｎｏ．１、［ｏｎｌｉｎｅ］、［平成１９年８月２８日検索］、インターネット＜ＵＲＬ：http://www.nttdocomo.co.jp/binary/pdf/corporate/technology/rd/technical_journal/bn/vol14_1/vol14_1_66jp.pdf＞
【発明の開示】
【発明が解決しようとする課題】
【００１３】
しかしながら、上述の測定器処理において、信号が例えばＯＦＤＭ（Orthogonal Frequency Division Multiplexing）でサブキャリアが多い場合、逆行列演算量は大変多くなる。この場合、送信信号の分離演算に時間を要するという問題があった。
また、測定環境において、送信信号Ｏｕｔ１、Ｏｕｔ２をＦａｄｉｎｇ部１０２へ入力しない（通さない）場合、受信信号Ｉｎ１、Ｉｎ２は、送信信号Ｏｕｔ１とＯｕｔ２とが加算された信号（加算信号）となる。このため、受信信号Ｉｎ１、Ｉｎ２は同じ値（振幅、位相が同じ値）となる。そうすると、式（２）の逆行列が計算できない。具体的には、式（２）において、受信信号Ｉｎ１、Ｉｎ２がＯｕｔ１とＯｕｔ２との加算信号となる場合は、右辺第２項の伝播路推定値も同じ値となる。この場合、式（２）の右辺第１項の分母は０となる。すなわち、式（２）の逆行列演算を行うことができない。このため、送信信号の信号分離ができないという問題があった。
【００１４】
本発明の課題は、送信信号の分離演算を簡略して高速な分離演算を可能とするとともに、逆行列演算ができない場合であっても送信信号の分離演算を可能とすることである。
【課題を解決するための手段】
【００１５】
上記課題を解決するために、請求項１に記載の発明の信号分離装置は、
複数の送信信号を受信する複数の受信手段のうちの１つの受信手段が受信した受信信号及び既知の基準信号を取得する取得手段と、
前記取得手段により取得された受信信号から伝播路推定値を推定し、当該伝播路推定値、前記受信信号及び前記基準信号を用いて、前記送信信号の信号分離演算を行う制御手段と、
を備える。
【００１６】
請求項２に記載の発明の信号分離装置は、
複数の送信信号を受信する複数の受信手段のうちの１つの受信手段が受信した受信信号と既知の基準信号とを加算した加算信号を取得する加算信号取得手段と、
前記加算信号取得手段により取得された加算信号から前記基準信号を除去して前記受信信号を得る第１のフィルタ手段と、
前記加算信号取得手段により取得された加算信号に含まれる基準信号を周波数シフトする周波数シフト手段と、
前記加算信号から前記受信信号を除去して前記周波数シフト手段により周波数シフトされた前記基準信号を得る第２のフィルタ手段と、
前記第１のフィルタ手段により得られた前記受信信号から伝播路推知値を推定し、当該伝播路推定値、前記第１のフィルタ手段により得られた前記受信信号及び前記第２のフィルタ手段により得られた前記基準信号を用いて、前記送信信号の信号分離演算を行う制御手段と、
を備える。
【００１７】
請求項３に記載の発明は、請求項１又は２に記載の信号分離装置において、
前記制御手段は、
前記伝播路推定値と前記基準信号とを積算して第１の積算値を演算する第１の積算手段と、
前記受信信号から前記第１の積算値を減算した第１の信号を演算する第１の演算手段と、
前記第１の演算手段により演算された第１の信号を前記伝播路推定値で補正した第２の信号を演算する第１の補正手段と、
前記第１の補正手段により演算された第２の信号と前記伝播路推定値とを積算して第２の積算値を演算し、前記受信信号から当該第２の積算値を減算した第３の信号を演算する第２の演算手段と、
前記第２の演算手段により演算された第３の信号を前記伝播路推定値で補正した第４の信号を演算する第２の補正手段と、
を備える。
【００１８】
請求項４に記載の発明は、請求項１又は２に記載の信号分離装置において、
前記制御手段は、
前記伝播路推定値と前記基準信号とを積算して第３の積算値を演算する第２の積算手段と、
前記受信信号から前記第３の積算値を減算した第５の信号を演算する第３の演算手段と、
前記受信信号から前記第３の積算値及び前記５の信号を減算した第６の信号を演算する第４の演算手段と、
前記受信信号から前記第６の信号、前記第３の積算値及び前記第５の信号を減算した第７の信号を演算する第５の演算手段と、
前記受信信号から前記７の信号、前記第６の信号及び前記第５の信号を減算した第８の信号を演算する第６の演算手段と、
前記第７の信号から前記第８の信号を減算し、当該減算した値に前記第３の積算値を加算した第９の信号を演算する第７の演算手段と、
前記第６の信号から前記第８の信号及び前記第９の信号を減算し、当該減算した値に前記第３の積算値を加算した第１０の信号を演算する第８の演算手段と、
前記第３の演算手段により演算された第５の信号を前記伝播路推定値で補正した第１１の信号を演算する第３の補正手段と、
前記第６の演算手段により演算された第８の信号を前記伝播路推定値で補正した第１２の信号を演算する第４の補正手段と、
前記第７の演算手段により演算された第９の信号を前記伝播路推定値で補正した第１３の信号を演算する第５の補正手段と、
前記第８の演算手段により演算された第１０の信号を前記伝播路推定値で補正した第１４の信号を演算する第６の補正手段と、
を備える。  
【発明の効果】
【００１９】
請求項１、３、及び４に記載の発明によれば、複数の受信手段のうちの１つの受信手段が受信した受信信号及び基準信号を取得し、取得した受信信号から伝播路推定値を推定し、当該伝播路推定値、受信信号及び基準信号を用いて送信信号の信号分離を行う。これにより、送信信号の分離演算を簡略して高速な分離演算を行うことができる。また、逆行列演算を行う必要がないので、逆行列演算ができない場合であっても送信信号の分離演算を行うことができる。
【００２０】
請求項２に記載の発明によれば、加算信号取得手段は、受信信号と基準信号とを加算した加算信号を取得する。これにより、加算信号を１経路で取得できるので、信号の取得経路を多く備える必要がなく、信号分離装置の汎用性を高めることができる。
【発明を実施するための最良の形態】
【００２１】
以下、添付図面を参照して本発明に係る実施の形態を詳細に説明する。ただし、発明の範囲は、図示例に限定されない。
【００２２】
図１〜図１０を参照して本発明に係る第１の実施の形態を説明する。先ず、図１を参照して本実施の形態の測定システム１の概略構成を説明する。測定システム１は、ＤＵＴ１１と、Ｆａｄｉｎｇ部１２と、取得手段としての無線データ取得部１３と、制御手段としての演算解析部１４と、を備えて構成される。無線データ取得部１３及び演算解析部１４は、信号分離装置としての測定器１５に該当する。測定システム１は、無線信号を送信、受信するものとする。
また、測定システム１は、測定環境において実現されるものである。このため、本来は送信アンテナ、受信アンテナを備えない構成である。しかし、本実施の形態では、測定システム１を実環境に適用した場合（すなわち、送信アンテナ及び受信アンテナを模擬的に備える場合）についても説明する。この場合、送信アンテナ２個（ＡｎｔＯｕｔ１、ＡｎｔＯｕｔ２）、受信手段としての受信アンテナ２個（ＡｎｔＩｎ１、ＡｎｔＩｎ２）が構成されているものとする。
【００２３】
ＤＵＴ１１は、ＲＦ信号（送信信号Ｏｕｔ１、Ｏｕｔ２）を出力する。送信信号Ｏｕｔ１、Ｏｕｔ２は、送信アンテナＡｎｔＯｕｔ１、ＡｎｔＯｕｔ２から送信された信号に該当する。また、送信信号Ｏｕｔ１は、既知の基準信号として用いられる。既知の基準信号とは、信号の位相、振幅が既知の値である信号のことをいう。以上が図１中の（１）の部分に該当する。
【００２４】
Ｆａｄｉｎｇ部１２は、フェージングシュミレータにより構成され、送信信号Ｏｕｔ１、Ｏｕｔ２が入力されると、受信信号Ｉｎ１、Ｉｎ２を出力する。受信信号Ｉｎ１、Ｉｎ２は、受信アンテナＡｎｔＩｎ１、ＡｎｔＩｎ２により受信された信号に該当する。また、Ｆａｄｉｎｇ部１２は、測定システム１が送信アンテナＡｎｔＯｕｔ１、ＡｎｔＯｕｔ２及び受信アンテナＡｎｔＩｎ１、ＡｎｔＩｎ２を模擬的に備える場合、送信アンテナＡｎｔＯｕｔ１、ＡｎｔＯｕｔ２と受信アンテナＡｎｔＩｎ１、ＡｎｔＩｎ２との間にある空間部分に該当する。以上が図１中の（２）の部分に該当する。
【００２５】
無線データ取得部１３は、受信信号Ｉｎ１及び基準信号Ｏｕｔ１を取得する。具体的には、無線データ取得部１３は、受信アンテナＡｎｔＩｎ１、ＡｎｔＩｎ２のうちの受信アンテナＡｎｔＩｎ１が受信した受信信号Ｉｎ１、及び基準信号Ｏｕｔ１を取得する。また、無線データ取得部１３は、受信信号Ｉｎ１及び基準信号にダウンコンバート、フィルタリング、Ａ／Ｄ変換等を行い、それぞれのベースバンド信号を取得する。以上が図１中の（３）の部分に該当する。
【００２６】
演算解析部１４は、受信信号Ｉｎ１から伝播路推定値を推定し、当該推定された伝播路推定値、受信信号Ｉｎ１、及び基準信号Ｏｕｔ１を用いて、送信信号Ｏｕｔ１、Ｏｕｔ２の信号分離演算を行う。送信信号Ｏｕｔ１、Ｏｕｔ２の信号分離演算を行うとは、送信信号Ｏｕｔ１、Ｏｕｔ２が混信された状態で受信した信号（受信信号Ｉｎ１）から、各送信信号（送信信号Ｏｕｔ１、Ｏｕｔ２）を分離することをいう。また、演算解析部１４は、送信信号Ｏｕｔ１、Ｏｕｔ２の分離後、ＥＶＭなどの解析を行う。以上が図１中の（４）の部分に該当する。
【００２７】
ここで、演算解析部１４で演算される送信信号Ｏｕｔ１、Ｏｕｔ２を分離するための式（３）を示す。
【００２８】
【数３】
2009094951.tif 000005
【００２９】
式（３）の左辺は、受信アンテナＡｎｔＩｎ１、ＡｎｔＩｎ２より受信された受信信号Ｉｎ１、Ｉｎ２を示している。式（３）の右辺第１項は、伝播路推定値を示している。式（３）の右辺第２項は、送信アンテナＡｎｔＯｕｔ１、ＡｎｔＯｕｔ２より送信された送信信号Ｏｕｔ１、Ｏｕｔ２を示している。本実施の形態では、測定器１５は、受信信号Ｉｎ１のみしか取得しない。このため、本実施の形態において、式（３）は下記の式（４）で表される。
【００３０】
【数４】
2009094951.tif 000006
【００３１】
次に図２を参照して、演算解析部１４の構成を説明する。演算解析部１４は、伝播路推定部１４１と、第１の積算手段としての積算部１４２と、第１の演算手段としての演算部１４３と、第１の補正手段としての補正部１４４と、第２の演算手段としての演算部１４５と、第２の補正手段としての補正部１４６と、表示制御部１４７と、を備えて構成される。
【００３２】
伝播路推定部１４１は、受信アンテナＡｎｔＩｎ１により受信された受信信号Ｉｎ１から伝播路推定値を推定する。具体的には、受信信号Ｉｎ１に含まれる基準パイロット信号から伝播路推定値の計算を行う。伝播路推定値とは、送受信アンテナ間（送信アンテナＡｎｔＯｕｔ１−受信アンテナＡｎｔＩｎ１間、送信アンテナＡｎｔＯｕｔ２−受信アンテナＡｎｔＩｎ１間）の伝播路に関する伝播路情報を利用して演算される値のことをいう。式（４）において、送信アンテナＡｎｔＯｕｔ１−受信アンテナＡｎｔＩｎ１間の伝播路推定値はａ１１に該当する。送信アンテナＡｎｔＯｕｔ２−受信アンテナＡｎｔＩｎ１間の伝播路推定値はａ１２に該当する。また、基準パイロット信号とは、受信信号Ｉｎ１を復調するための信号であり、振幅、位相が既知の信号のことをいう。
【００３３】
積算部１４２は、基準信号と伝播路推定値ａ１１とを積算して第１の積算値としてのiiの信号（式（４）のａ１１Ｏｕｔ１に該当）を得る。演算部１４３は、受信信号Ｉｎ１としてのｉの信号（式（４）のＩｎ１に該当）から積算部１４２により積算されたiiの信号を減算して、第１の信号としてのiiiの信号（式（４）のＩｎ１−ａ１１Ｏｕｔ１に該当）を得る。
【００３４】
補正部１４４は、演算部１４３により演算されたiiiの信号を伝播路推定値ａ１２で補正した第２の信号としてのivの信号（式（４）のＯｕｔ２に該当）を演算する。補正とは、iiiの信号を伝播路推定値ａ１２で割ることをいう。このとき、受信信号Ｉｎ１、伝播路推定値ａ１１、ａ１２、基準信号Ｏｕｔ１は、既知の値である。したがって、補正部１４４の補正により送信信号Ｏｕｔ２を分離演算することができる。
【００３５】
演算部１４５は、iの信号から補正部１４４により補正されたivの信号と伝播路推定値ａ１２とを積算し、第２の積算値としてのiiiの信号（式（４）のａ１２ＡｎｔＯｕｔ２に該当）を演算する。そして、iの信号からiiiの信号を減算して、第３の信号としてのVの信号（式（４）のＩｎ１−ａ１２Ｏｕｔ２に該当）を得る。
【００３６】
補正部１４６は、演算部１４５により演算されたｖの信号を伝播路推定値ａ１１で補正した第４の信号としてのviの信号（式（４）のＯｕｔ１に該当）を演算する。補正とは、ｖの信号を伝播路推定値ａ１１で割ることをいう。このとき、受信信号Ｉｎ１、伝播路推定ａ１１、ａ１２は既知の値である。送信信号Ｏｕｔ２は、補正部１４４により演算された既知の値である。したがって、補正部１４６の補正により、送信信号Ｏｕｔ１を分離演算することができる。
【００３７】
表示制御部１４７は、ivの信号（送信信号Ｏｕｔ２）、及びviの信号（送信信号Ｏｕｔ１）をＥＶＭ解析した結果を表示部（図示省略）に表示させる。
【００３８】
次に図３を参照して、測定器１５の動作を説明する。図３に第１の測定器処理の流れを示す。例えば、第１の測定器処理の実行指示が入力部（図示省略）を介して入力されたこと等をトリガとして、記憶部（図示省略）から読み出されて適宜ＲＡＭ（図示省略）に展開された第１の測定器プログラムと、ＣＰＵ（図示省略）との協働により第１の測定器処理が実行される。
【００３９】
先ず、無線データ取得部１３にiの信号（式（４）のＩｎ１に該当）及び基準信号Ｏｕｔ１が入力される。そして、無線データ取得部１３によりiの信号及び基準信号Ｏｕｔ１に対してダウンコンバート、フィルタリング、Ａ／Ｄ変換等が行われiの信号、基準信号Ｏｕｔ１それぞれのベースバンド信号が取得される。そして、取得された基準信号Ｏｕｔ１が記憶部（図示省略）に記憶される（ステップＳ１１）。また、送信アンテナＡｕｔＯｕｔ１、ＡｕｔＯｕｔ２（送信側各アンテナ）にて挿入された基準パイロット信号から各経路の伝播路推定値が推定される（ステップＳ１２）。すなわち、伝播路推定部１４１により受信信号Ｉｎ１に含まれる基準パイロット信号から伝播路推定値ａ１１、ａ１２が推定される。
【００４０】
そして、ステップＳ１１で取得された基準信号Ｏｕｔ１が記憶部から読み出され、当該読み出された基準信号Ｏｕｔ１に、送信アンテナＡｕｔＯｕｔ１側の伝播路推定値ａ１１が掛けられ（積算され）、iiの信号（式（４）のａ１１Ｏｕｔ１に該当）が得られる（ステップＳ１３）。
【００４１】
ステップＳ１３の実行後、iの信号からiiの信号が引かれ、iiiの信号（式（４）のａ１２ＡｎｔＯｕｔ２に該当）が得られる（ステップＳ１４）。そして、iiiの信号が送信アンテナＡｕｔＯｕｔ２側の伝播路推定値ａ１２で補正され、ivの信号（式（４）のＯｕｔ２に該当）が得られる（ステップＳ１５）。
【００４２】
ステップＳ１５の実行後、iの信号からiiiの信号（式（４）のａ１２ＡｎｔＯｕｔ２に該当）が減算され（引かれ）、ｖの信号（式（４）のＩｎ１−ａ１２Ｏｕｔ２に該当）が得られる（ステップＳ１６）。そして、ｖの信号がＡｎｔＯｕｔ１側の伝播路推定値ａ１１で補正され、viの信号（式（４）のＯｕｔ１に該当）が得られる（ステップＳ１７）。そして、表示制御部１４７によりivの信号とviの信号の結果が表示部に表示される（ステップＳ１８）。ステップＳ１８の実行後、測定器処理は終了される。
【００４３】
以上、本実施の形態によれば、受信アンテナＡｎｔＩｎ１、ＡｎｔＩｎ２のうちのＡｎｔＩｎ１が受信した受信信号Ｉｎ１及び基準信号Ｏｕｔ１を取得し、取得した受信信号Ｉｎ１から伝播路推定値ａ１１、ａ１２を推定し、当該伝播路推定値ａ１１、ａ１２、受信信号Ｉｎ１及び基準信号Ｏｕｔ１を用いて送信信号Ｏｕｔ１、Ｏｕｔ２の信号分離を行う。これにより、１次方程式を解くだけで送信信号Ｏｕｔ１、Ｏｕｔ２、の分離演算を行うことができるので、送信信号Ｏｕｔ１、Ｏｕｔ２の分離演算を簡略して高速な分離演算を行うことができる。また、逆行列演算を行う必要がないので、逆行列演算ができない場合の信号であっても送信信号の分離演算を行うことができる。また、高速な送信信号の分離演算が可能となるので、分離された送信信Ｏｕｔ１、Ｏｕｔ２の高速な解析（ＥＶＭ等の解析）を行うことができる。
【００４４】
（変形例）
図４〜図７を参照して、本発明に係る第１の実施の形態の変形例を説明する。図４に本発明に係る測定システム１Ａの概略構成を示す。以下、測定システム１と同様な部分には同一の符号を付し、その詳細な説明を援用し、異なる部分について説明する。
【００４５】
測定システム１Ａは、ＤＵＴ１１と、Ｆａｄｉｎｇ処理部１２と、加算信号取得手段としての無線データ取得部１３Ａと、制御手段としての演算解析部１４Ａと、アップコンバータ部１６と、加算部１７と、を備えて構成される。無線データ取得部１３Ａ及び演算解析部１４Ａは、信号分離装置としての測定器１５Ａに該当する。
【００４６】
無線データ取得部１３Ａは、加算信号Ａを取得する。加算信号Ａとは、受信アンテナＡｎｔＩｎ１、ＡｎｔＩｎ２のうちの受信アンテナＡｎｔＩｎ１が受信した受信信号Ｉｎ１と基準信号Ｏｕｔ１とを加算した信号のことをいう。
【００４７】
演算解析部１４Ａは、受信信号Ｉｎ１から伝播路推定値を推定し、当該推定された伝播路推定値、受信信号Ｉｎ１、及び基準信号Ｏｕｔ１を用いて、送信信号Ｏｕｔ１、Ｏｕｔ２の信号分離演算を行う。また、演算解析部１４Ａは、送信信号Ｏｕｔ１、Ｏｕｔ２の分離後、ＥＶＭなどの解析を行う。
【００４８】
アップコンバータ部１６は、ＳＧ（Signal Generator）により構成され、送信信号Ｏｕｔ１のベースバンド信号をアップコンバードして、当該アップコンバートした信号を基準信号Ｏｕｔ１として出力する。ここで、アップコンバートするＲＦ周波数は、被測定信号（受信信号Ｉｎ１）から十分離れた周波数かつ、無線データ取得部１３で解析帯域幅に入る周波数とする。
【００４９】
加算部１７は、受信信号Ｉｎ１と基準信号Ｏｕｔ１とを加算して、加算信号Ａを得る。図５（Ａ）に被測定信号（受信信号Ｉｎ１）の信号スペクトルを示す。図５（Ｂ）に加算部１７により出力された加算信号Ａの信号スペクトルを示す。図５（Ｂ）に示すように、加算信号Ａのスペクトルは、基準信号Ｏｕｔ１及び被測定信号（受信信号Ｉｎ１）が周波数多重されたスペクトルとなる。
【００５０】
次に図６を参照して、演算解析部１４Ａの構成を説明する。演算解析部１４Ａは、伝播路推定部１４１と、積算部１４２と、演算部１４３と、補正部１４４と、演算部１４５と、補正部１４６と、表示制御部１４７と、周波数シフト手段としての周波数シフタ１４８と、第２のフィルタ手段としてのフィルタ部１４９と、第１のフィルタ手段としてのフィルタ部１５０と、を備えて構成される。
【００５１】
周波数シフタ１４８は、加算信号Ａに含まれる基準信号Ｏｕｔ１を中心周波数にシフトし、当該周波数シフトされた基準信号Ｏｕｔ１を出力する。中心周波数とは、受信信号Ｉｎ１の中心周波数のことをいう。フィルタ部１４９は、周波数シフタ１４８により周波数シフトされた基準信号Ｏｕｔ１を含む加算信号Ａを受信する。そして、受信した加算信号Ａから受信信号Ｉｎ１を除去して、周波数シフトされた基準信号Ｏｕｔ１を得る。フィルタ部１５０は、加算信号Ａに含まれる基準信号Ｏｕｔ１を除去して、受信信号Ｉｎ１を得る。
【００５２】
次に図７を参照して、測定器１５の動作を説明する。図７に第２の測定器処理の流れを示す。例えば、第２の測定器処理の実行指示が入力部（図示省略）を介して入力されたこと等をトリガとして、記憶部（図示省略）から読み出されて適宜ＲＡＭ（図示省略）に展開された第２の測定器プログラムと、ＣＰＵ（図示省略）との協働により第２の測定器処理が実行される。
【００５３】
先ず、無線データ取得部１３に加算信号Ａが入力される。そして、加算信号Ａに含まれる受信信号Ｉｎ１及び基準信号Ｏｕｔ１に対してダウンコンバート、フィルタリング、Ａ／Ｄ変換等が行われ、受信信号Ｉｎ１、基準信号Ｏｕｔ１それぞれのベースバンド信号が取得される。そして、取得波形（取得された加算信号Ａのベースバンド信号）が記憶部（図示省略）に記憶される（ステップＳ２１）。
【００５４】
また、フィルタ部１５０により、加算信号Ａに含まれる基準信号が除去され、iの信号（受信信号Ｉｎ１に該当）が得られる（ステップＳ２２）。そして、ステップＳ２３が実行される。ステップＳ２３は、第１の測定器処理のステップＳ１２に該当する。
【００５５】
一方、ステップＳ２１で記憶された加算信号Ａが記憶部から読み出され、当該読み出された加算信号Ａに含まれる基準信号Ｏｕｔ１が周波数シフタ１４８により中心周波数にシフト（移動）される。そして、加算信号Ａからフィルタ部１４９により被測定波（受信信号Ｉｎ１）が取り除かれる。（ステップＳ２４）。
【００５６】
ステップＳ２５〜ステップＳ３０は、第１の測定器処理のステップＳ１３〜Ｓ１８と同様である。ステップＳ３０の実行後、第２の測定器処理は終了される。
【００５７】
以上、本実施の形態によれば、受信信号Ｉｎ１と基準信号とを加算した加算信号Ａを取得する。これにより、加算信号Ａを１経路で取得できるので、信号の取得経路を多く備える必要がなく、測定器１５の汎用性を高めることができる。
【００５８】
（第２の実施の形態）
図８〜図１０を参照して、本発明に係る第２の実施の形態の変形例を説明する。図８に本発明に係る測定システム２の概略構成を示す。以下、測定システム１と同様な部分には同一の符号を付し、その詳細な説明を援用し、異なる部分について説明する。
【００５９】
測定システム２は、ＤＵＴ１１１と、Ｆａｄｉｎｇ部１１２と、取得手段としての無線データ取得部１１３と、制御手段としての演算解析部１１４と、を備えて構成される。無線データ取得部１１３及び演算解析部１１４は、信号分離装置としての測定器１１５に該当する。
測定システム２は、送信アンテナ４個（ＡｎｔＯｕｔ１、ＡｎｔＯｕｔ２、ＡｎｔＯｕｔ４）、受信アンテナ４個（ＡｎｔＩｎ１、ＡｎｔＩｎ２、ＡｎｔＩｎ３、ＡｎｔＩｎ４）が模擬的に構成されているものとする。
【００６０】
ＤＵＴ１１１は、ＲＦ信号（送信信号Ｏｕｔ１、Ｏｕｔ２、Ｏｕｔ３、Ｏｕｔ４）を出力する。送信信号Ｏｕｔ１、Ｏｕｔ２、Ｏｕｔ３、Ｏｕｔ４は、送信アンテナＡｎｔＯｕｔ１、ＡｎｔＯｕｔ２、ＡｎｔＯｕｔ３、ＡｎｔＯｕｔ４から送信された信号に該当する。また、送信信号Ｏｕｔ１、Ｏｕｔ２、Ｏｕｔ３は、基準信号Ｏｕｔ１、Ｏｕｔ２、Ｏｕｔ３として用いられる。以上が図８中の（１）の部分に該当する。
【００６１】
Ｆａｄｉｎｇ部１１２は、フェージングシュミレータにより構成され、送信信号Ｏｕｔ１、Ｏｕｔ２、Ｏｕｔ３、Ｏｕｔ４が入力されると、受信信号Ｉｎ１、Ｉｎ２、Ｉｎ３、Ｉｎ４を出力する。受信信号Ｉｎ１、Ｉｎ２、Ｉｎ３、Ｉｎ４は、受信アンテナＡｎｔＩｎ１、ＡｎｔＩｎ２、ＡｎｔＩｎ３、ＡｎｔＩｎ４により受信された信号に該当する。また、Ｆａｄｉｎｇ部１１２は、測定システム２が送信アンテナＡｎｔＯｕｔ１、ＡｎｔＯｕｔ２、ＡｎｔＯｕｔ３、ＡｎｔＯｕｔ４及び受信アンテナＡｎｔＩｎ１、ＡｎｔＩｎ２、ＡｎｔＩｎ３、ＡｎｔＩｎ４を備える場合、送信アンテナＡｎｔＯｕｔ１、ＡｎｔＯｕｔ２、ＡｎｔＯｕｔ３、ＡｎｔＯｕｔ４と受信アンテナＡｎｔＩｎ１、ＡｎｔＩｎ２、ＡｎｔＩｎ３、ＡｎｔＩｎ４との間にある空間部分に該当する。以上が図８中の（２）の部分に該当する。
【００６２】
無線データ取得部１１３は、受信信号Ｉｎ１及び基準信号（基準信号Ｏｕｔ１、Ｏｕｔ２、Ｏｕｔ３）を取得する。具体的には、無線データ取得部１１３は、受信信号Ｉｎ１及び基準信号（基準信号Ｏｕｔ１、Ｏｕｔ２、Ｏｕｔ３）にダウンコンバート、フィルタリング、Ａ／Ｄ変換等を行い、それぞれのベースバンド信号を取得する。以上が図８中の（３）の部分に該当する。
【００６３】
演算解析部１１４は、受信信号Ｉｎ１から伝播路推定値を推定し、当該推定された伝播路推定値、受信信号Ｉｎ１、及び基準信号（基準信号Ｏｕｔ１、Ｏｕｔ２、Ｏｕｔ３）を用いて、送信信号Ｏｕｔ１、Ｏｕｔ２、Ｏｕｔ３、Ｏｕｔ４の信号分離演算を行う。また、演算解析部１４１は、送信信号Ｏｕｔ１、Ｏｕｔ２、Ｏｕｔ３、Ｏｕｔ４の分離後、ＥＶＭなどの解析を行う。以上が図８中の（４）の部分に該当する。
【００６４】
ここで、演算解析部１１４で演算される送信信号を分離するための式（５）を示す。
【００６５】
【数５】
2009094951.tif 000007
【００６６】
式（５）の左辺は、受信信号Ｉｎ１、Ｉｎ２、Ｉｎ３、Ｉｎ４を示している。式（５）の右辺第１項は、伝播路推定値を示している。式（５）の右辺第２項は、送信信号Ｏｕｔ１、Ｏｕｔ２、Ｏｕｔ３、Ｏｕｔ４を示している。本実施の形態では、測定部１５は、受信信号Ｉｎ１のみしか取得しない。このため、本実施の形態において、式（５）は下記の式（６）で表される。
【００６７】
【数６】
2009094951.tif 000008
【００６８】
次に図９を参照して、演算解析部１１４の構成を説明する。演算解析部１１４は、伝播路推定部１５１と、第２の積算手段としての積算部１５２Ａ，１５２Ｂ，１５２Ｃと、第３の演算手段としての演算部１５３と、第４の演算手段としての演算部１５４と、第５の演算手段としての演算部１５５と、第６の演算手段としての演算部１５６と、第７の演算手段としての演算部１５７と、第８の演算手段としての演算部１５８と、第３の補正手段としての補正部１５９と、第４の補正手段としての補正部１６０と、第５の補正手段としての補正部１６１と、第６の補正手段としての補正部１６２と、表示制御部１６３と、を備えて構成される。
【００６９】
伝播路推定部１５１は、アンテナＲ１により受信された受信信号Ｉｎ１から伝播路推定値を推定する。具体的には、伝播路推定部１５１は、受信信号Ｉｎ１に含まれる基準パイロット信号から伝播路推定値の計算を行う。伝播路推定値とは、送受信アンテナ間（送信アンテナＡｎｔＯｕｔ１−受信アンテナＡｎｔＯｕｔ１間、送信アンテナＡｎｔＯｕｔ２−受信アンテナＡｎｔＯｕｔ１間、送信アンテナＡｎｔＯｕｔ３−受信アンテナＡｎｔＯｕｔ１間、送信アンテナＡｎｔＯｕｔ３−受信アンテナＡｎｔＩｎ１間、送信アンテナＡｎｔＯｕｔ４−受信アンテナＡｎｔＩｎ１間）の伝播路に関する伝播路情報を利用して算出される値のことをいう。式（６）において、送信アンテナＡｎｔＯｕｔ１−受信アンテナＡｎｔＩｎ１間の伝播路推定値はａ１１に該当する。送信アンテナＡｎｔＯｕｔ２−受信アンテナＡｎｔＩｎ１間の伝播路推定値はａ１２に該当する。送信アンテナＡｎｔＯｕｔ３−受信アンテナＡｎｔＩｎ１間の伝播路推定値はａ１３に該当する。送信アンテナＡｎｔＯｕｔ４−受信アンテナＡｎｔＩｎ１間の伝播路推定値はａ１４に該当する。
【００７０】
積算部１５２Ａは、基準信号Ｏｕｔ１と伝播路推定値ａ１１とを積算して第３の積算値としてのiiの信号（式（６）のａ１１Ｏｕｔ１に該当）を演算する。積算部１５２Ｂは、基準信号Ｏｕｔ２と伝播路推定値ａ１２とを積算して第３の積算値としてのiiiの信号（式（６）のａ１２Ｏｕｔ２に該当）を演算する。積算部１５２Ｃは、基準信号Ｏｕｔ３と伝播路推定値ａ１３とを積算して第３の積算値としてのivの信号（式（６）のａ１３Ｏｕｔ３に該当）を演算する。
【００７１】
演算部１５３は、iの信号（式（６）のＩｎ１に該当）からii、iii、ivの信号を減算して第５の信号としてのｖの信号（i−ii−iii−iv）を演算する。ｖの信号は、式（６）のａ１４Ｏｕｔ４に該当する。演算部１５４は、iの信号からii、iii、ｖの信号を減算して第６の信号としてのviの信号（i−ｖ−ii−iii）を演算する。viの信号は、式（６）のａ１３Ｏｕｔ３に該当する。演算部１５５は、iの信号からｖ、vi、iiiの信号を減算して第７の信号としてのviiの信号（i−ｖ−vi−iii）を演算する。viiの信号は、式（６）のａ１２Ｏｕｔ２に該当する。演算部１５６は、iの信号からｖ、vi、viiの信号を減算して第８の信号としてのviiiの信号（i−ｖ−vi−vii）を演算する。viiiの信号は、式（６）のａ１１ＡｎｔＯｕｔ１に該当する。演算部１５７は、viiの信号からviiiの信号を減算し、当該減算した値（vii−viii）にiiiの信号を加算した第９の信号としてのixの信号（vii＋iii−viii）を演算する。ixの信号は、式（６）のａ１２Ｏｕｔ２に該当する。演算部１５８は、viの信号からviiiの信号及びixの信号を減算し、当該減算した値（vi−viii−ix）にii、iiiの信号を加算した第１０の信号としてのXの信号（vi＋iii−viii＋ii−ix）を演算する。Xの信号は、式（６）のａ１３Ｏｕｔ３に該当する。
【００７２】
補正部１５９は、演算部１５３により演算されたｖの信号を伝播路推定値ａ１４で補正し、第１１の信号としてのＢの信号（式（６）のＯｕｔ４に該当）を得る。ｖの信号を伝播路推定値ａ１４で補正するとは、ｖの信号を伝播路推定値ａ１４で割ることをいう。すなわち、補正部１５９は、（Ｉｎ１−ａ１１Ｏｕｔ１−ａ１２Ｏｕｔ２−ａ１３Ｏｕｔ３／ａ１４）の演算を行うことにより、送信信号Ｏｕｔ４を分離演算する。このとき、受信信号Ｉｎ１、伝播路推定値ａ１１、ａ１２、ａ１３、ａ１４、基準準信号Ｏｕｔ１、Ｏｕｔ２、Ｏｕｔ３は既知の値である。したがって、補正部１５９の補正により、送信信号Ｏｕｔ４を分離演算することができる。
【００７３】
補正部１６０は、演算部１５６により演算されたviiiの信号を伝播路推定値ａ１１で補正し、第１２の信号としてのＣの信号（式（６）のＯｕｔ１に該当）を得る。viiiの信号を伝播路推定値ａ１１で補正するとは、viiiの信号を伝播路推定値ａ１１で割ることをいう。ここで、viiiの信号は、式（６）のａ１１Ｏｕｔ１に該当する。また、Ｏｕｔ１は、基準信号としてではなく、演算対象の値として用いられる。すなわち、補正部１６０は、（Ｉｎ１−ａ１４Ｏｕｔ４−ａ１３Ｏｕｔ３−ａ１２Ｏｕｔ２／ａ１１）の演算を行うことにより、送信信号Ｏｕｔ１を演算する。このとき、受信信号Ｉｎ１、伝播路推定値ａ１１、ａ１２、ａ１３、ａ１４、基準信号Ｏｕｔ２、Ｏｕｔ３は、既知の値である。送信信号Ｏｕｔ４は、補正部１５９により演算された既知の値である。したがって、補正部１６０の補正により、送信信号Ｏｕｔ１を分離演算することができる。  
【００７４】
補正部１６１は、演算部１５７により演算されたixの信号を伝播路推定値ａ１２で補正し、第１３の信号としてのＤの信号（式（６）のＯｕｔ２に該当）を得る。ixの信号を伝播路推定値ａ１２で補正するとは、ixの信号を伝播路推定値ａ１２で割ることをいう。ここで、ixの信号は、式（６）のａ１２Ｏｕｔ２に該当する。また、Ｏｕｔ２は、既知の基準信号としてではなく、演算対象の値として用いられる。すなわち、補正部１６１は、（Ｉｎ１−ａ１４ＡｎｔＯｕｔ４−ａ１３ＡｎｔＯｕｔ３−ａ１１ＡｎｔＯｕｔ１／ａ１２）の演算を行うことにより、送信信号Ｏｕｔ２を分離演算する。このとき、受信信号Ｉｎ１、伝播路推定値ａ１１、ａ１２、ａ１３、ａ１４、基準信号Ｏｕｔ３は、既知の値である。送信信号Ｏｕｔ１は補正部１６０により演算された既知の値である。送信信号Ｏｕｔ４は、補正部１５９により演算された既知の値である。したがって、補正部１６１の補正により、送信信号Ｏｕｔ２を分離演算することができる。
【００７５】
補正部１６２は、演算部１５８により演算されたXの信号を伝播路推定値ａ１３で補正し、第１４の信号としてのＥの信号（式（６）のＯｕｔ３に該当）を得る。Xの信号を伝播路推定値ａ１３で補正するとは、Xの信号を伝播路推定値ａ１３で割ることをいう。ここで、Xの信号は、式（６）のａ１３ＡｎｔＯｕｔ３に該当する。また、Ｏｕｔ３は、既知の基準信号としてではなく、演算対象の値として用いられる。すなわち、補正部１６０は、（Ｉｎ１−ａ１４Ｏｕｔ４−ａ１１Ｏｕｔ１−ａ１２Ｏｕｔ２／ａ１３）の演算を行うことにより、送信信号Ｏｕｔ３を分離演算する。このとき、受信信号Ｉｎ１及び伝播路推定値ａ１１、ａ１２、ａ１３、ａ１４は既知の値である。送信信号Ｏｕｔ１は、補正部１６０により演算された既知の値である。送信信号Ｏｕｔ２は、補正部１６１により演算された既知の値である。送信信号Ｏｕｔ４は、補正部１５９により演算された既知の値である。したがって、補正部１６２の補正により、送信信号Ｏｕｔ３を分離演算することができる。
【００７６】
表示制御部１６３は、Ｂの信号（送信信号Ｏｕｔ４）、Ｃの信号（送信信号Ｏｕｔ３）、Ｄの信号（送信信号Ｏｕｔ２）、Ｅの信号（送信信号Ｏｕｔ１）をＥＶＭ解析した結果を表示部（図示省略）に表示させる。
【００７７】
次に図１０を参照して、測定器１５の動作を説明する。図１０に第３の測定器処理の流れを示す。例えば、測定器処理の実行指示が入力部（図示省略）を介して入力されたこと等をトリガとして、記憶部（図示省略）から読み出されて適宜ＲＡＭ（図示省略）に展開された第４の測定器プログラムと、ＣＰＵ（図示省略）との協働により第４の測定器処理が実行される。
【００７８】
先ず、無線データ取得部１３１にiの信号（式（６）のＩｎ１に該当）及び基準信号（基準信号Ｏｕｔ１、Ｏｕｔ２、Ｏｕｔ３）が入力される。そして、無線データ取得部１３１によりiの信号及び基準信号（基準信号Ｏｕｔ１、Ｏｕｔ２、Ｏｕｔ３）に対してダウンコンバート、フィルタリング、Ａ／Ｄ変換等が行われ、iの信号、基準信号（基準信号Ｏｕｔ１、Ｏｕｔ２、Ｏｕｔ３）それぞれのベースバンド信号が取得される。そして、取得された基準信号（基準信号Ｏｕｔ１、基準信号Ｏｕｔ２、基準信号Ｏｕｔ３）が記憶部（図示省略）に記憶される（ステップＳ４１、ステップＳ４２、ステップＳ４３）。また、送信アンテナＡｎｔＯｕｔ１、ＡｎｔＯｕｔ２、ＡｎｔＯｕｔ３、及びＡｎｔＯｕｔ４（送信側各アンテナ）にて挿入された基準パイロット信号から各経路の伝播路推定値が推定される（ステップＳ４４）。すなわち、伝播路推定部１５１により受信信号Ｉｎ１に含まれる基準パイロット信号から伝播路推定値ａ１１、ａ１２、ａ１３、ａ１４が推定される。
【００７９】
そして、ステップＳ４１、Ｓ４２、Ｓ４３で記憶された基準信号が記憶部から読み出され、当該読み出された基準信号に、ステップＳ４４で推定された送信アンテナＡｕｔＯｕｔ１側の伝播路推定値がそれぞれ掛けられ（積算され）、iiの信号（式（６）のａ１１Ｏｕｔ１に該当）、iiiの信号（式（６）のａ１２Ｏｕｔ２に該当）、ivの信号（式（６）のａ１３Ｏｕｔ３に該当）が得られる（ステップＳ４５）。
【００８０】
ステップＳ４５の実行後、iの信号からiiの信号、iiiの信号、ivの信号が引かれ、ｖの信号（式（６）のａ１４Ｏｕｔ４に該当）が得られる（ステップＳ４６）。そして、ｖの信号がＡｕｔＯｕｔ４側の伝播路推定値ａ１４で補正され、Ｂの信号（式（６）のＯｕｔ３に該当）が得られる（ステップＳ４７）。
【００８１】
ステップＳ４７の実行後、iの信号からiiの信号、iiiの信号、ｖの信号が引かれ、viの信号が得られる（ステップＳ４８）。そして、iの信号からiiiの信号、viの信号、iiiの信号が引かれ、viiの信号（式（６）のａ１２Ｏｕｔ２に該当）が得られる（ステップＳ４９）。
【００８２】
ステップＳ４９の実行後、iの信号からｖの信号、viの信号、viiの信号が引かれ、viiiの信号（式（６）のａ１１Ｏｕｔ１に該当）が得られる（ステップＳ５０）。そして、viiiの信号が送信アンテナＡｎｔＯｕｔ１側の伝播路推定値ａ１１で補正され、Ｃの信号（式（６）のＯｕｔ１に該当）が得られる（ステップＳ５１）。そして、viiの信号からiiiの信号が足され、viiiの信号が引かれてixの信号（式（６）のａ１２Ｏｕｔ２に該当）が得られる（ステップＳ５２）。そして、ixの信号がＡｕｔＯｕｔ２側の伝播路推定値ａ１２で補正され、Ｄの信号（式（６）のＯｕｔ２に該当）が得られる（ステップＳ５３）。
【００８３】
ステップＳ５３の実行後、viの信号からiiiの信号、iiの信号が足され、viiiの信号、ixの信号が引かれ、Xの信号（式（６）のａ１３Ｏｕｔ３に該当）が得られる（ステップＳ５４）。そして、Xの信号がＡｕｔＯｕｔ３側の伝播路推定値ａ１３で補正され、Ｅの信号（式（６）のＯｕｔ３に該当）が得られる（ステップＳ５５）。そして、表示制御部１６３によりＢの信号、Ｃの信号、Ｄの信号、Ｅの信号の結果が表示部に表示される（ステップＳ５６）。ステップＳ５６の実行後、第３の測定器処理は終了される。
【００８４】
以上、本実施の形態によれば、受信アンテナＡｎｔＩｎ１、ＡｎｔＩｎ２、ＡｎｔＩｎ３、ＡｎｔＩｎ４のうちのＡｎｔＩｎ１が受信した受信信号Ｉｎ１及び基準信号を取得し、取得した受信信号Ｉｎ１から伝播路推定値ａ１１、ａ１２、ａ１３、ａ１４を推定し、当該伝播路推定値ａ１１、ａ１２、ａ１３、ａ１４、受信信号Ｉｎ１及び基準信号を用いて送信信号Ｏｕｔ１、Ｏｕｔ２、Ｏｕｔ３、Ｏｕｔ４の信号分離を行う。これにより、１次方程式を解くだけで送信信号Ｏｕｔ１、Ｏｕｔ２、Ｏｕｔ３、Ｏｕｔ４の分離演算を行うことができるので、送信信号Ｏｕｔ１、Ｏｕｔ２、Ｏｕｔ３、Ｏｕｔ４の分離演算を簡略し、送信信号Ｏｕｔ１、Ｏｕｔ２、Ｏｕｔ３、Ｏｕｔ４の分離演算を高速化することができる。また、逆行列演算を行う必要がないので、逆行列演算ができない場合の信号であっても送信信号Ｏｕｔ１、Ｏｕｔ２、Ｏｕｔ３、Ｏｕｔ４の分離演算を行うことができる。また、高速な送信信号の分離演算が可能となるので、分離された送信信Ｏｕｔ１、Ｏｕｔ２、Ｏｕｔ３、Ｏｕｔ４の高速な解析（ＥＶＭ等の解析）を行うことができる。
【００８５】
なお、上記第１の実施の形態、変形例、及び第２の実施の形態における記述は、本発明に係る信号分離装置の一例であり、これに限定されるものではない。
【００８６】
例えば、上記第１の実施の形態及び変形例では、送信アンテナ２個、受信アンテナ２個、第２の実施の形態では、送信アンテナ４個、受信アンテナ４個の場合について説明したがこれに限定されるものではない。例えば、送信アンテナＮ個、受信アンテナＮ個としてもよい。
【００８７】
また、送信信号及び受信信号は無線信号として説明したが、これに限定されるものではない。例えば、高周波ケーブル等を介して信号の送受信を行うこととしてもよい。
【００８８】
その他、本実施の形態における、測定システム１、測定システム１Ａ、及び測定システム２の細部構造及び詳細動作に関しても、本発明の趣旨を逸脱しない範囲で適宜変更可能である。
【図面の簡単な説明】
【００８９】
【図１】本発明に係る第１の実施の形態の測定システム１の構成を示すブロック図である。
【図２】演算解析部１４の内部構成を示すブロック図である。
【図３】第１の測定器処理を示すフローチャートである。
【図４】第１の実施の形態の変形例の測定システム１Ａの構成を示すブロック図である。
【図５】（Ａ）は、受信信号ＡｎｔＩｎ１の信号スペクトルを示す図である。（Ｂ）は、加算部１７により出力された加算信号Ａの信号スペクトルを示す図である。
【図６】演算解析部１４Ａの内部構成を示すブロック図である。
【図７】第２の測定器処理を示すフローチャートである。
【図８】第２の実施の形態の測定システム２の構成を示すブロック図である。
【図９】演算解析部１１４の内部構成を示すブロック図である。
【図１０】第３の測定器処理を示すフローチャートである。
【図１１】従来の測定システム１００の構成を示すブロック図である。
【図１２】従来の測定器処理を示すフローチャートである。
【符号の説明】
【００９０】
１，１Ａ，２  測定システム
１１，１１１  ＤＵＴ
１２，１１２  Ｆａｄｉｎｇ部
１３，１３Ａ，１１３ 無線データ取得部
１４，１４Ａ，１１４ 演算解析部
１５，１５Ａ，１１５ 測定器
１６   アップコンバータ部
１７   加算部
１４１，１５１  伝播路推定部
１４２，１５２Ａ，１５２Ｂ，１５２Ｃ  積算部
１４３，１４５，１５３，１５４，１５５，１５６，１５７，１５８  演算部
１４４，１４６，１５９，１６０，１６１，１６２  補正部
１４７，１６３  表示制御部
１４８ 周波数シフタ
１４９，１５０  フィルタ部
【図１】
2009094951.tif 000009
【図２】
2009094951.tif 000010
【図３】
2009094951.tif 000011
【図４】
2009094951.tif 000012
【図５】
2009094951.tif 000013
【図６】
2009094951.tif 000014
【図７】
2009094951.tif 000015
【図８】
2009094951.tif 000016
【図９】
2009094951.tif 000017
【図１０】
2009094951.tif 000018
【図１１】
2009094951.tif 000019
【図１２】
2009094951.tif 000020